(57)【要約】      （修正有）【課題】Ａ４版収納ファイルの収納を可能にし、体から近い場所に寸法の大きい収納物が入るように形成し、背負った時にランドセルの重心が体に近い側となるようにして体勢を安定させるランドセルを提供する。【解決手段】背中と当接する背部２と、背部２と対向する前仕切部３と、背部２と前仕切部３とを連結する左右一対の襠部４、４と、下部を閉塞する底部５と、を備えた収納部６を形成する。収納部６の平面視における形状を、背部２側の端部が前仕切部３側の端部より長い台形状に形成し、側面視において底部５が、前仕切部３側に向かって上向きに傾斜するように形成することで、寸法の大きい収容物を背部２側に収納して体に近い側に誘導するとともに、背部２側に押圧させる。【選択図】図１
0003158972.tif 000002
【実用新案登録請求の範囲】
【請求項１】
使用者の背中と当接する背部と、該背部と空間を介して対向する前仕切部と、該背部と該前仕切部とを連結する左右一対の襠部と、下部を閉塞する底部と、を備えて収納部が形成されたランドセルであって、
該収納部の平面視における形状が、該背部側の端部が該前仕切部側の端部より長い台形状に形成されていることを特徴とするランドセル。
【請求項２】
該底部は、該背部側の端部が該前仕切部側の端部より長い台形状に形成され、該前仕切部側に向かって上向きに傾斜するように形成され、
各該襠部の該底部側端縁が、該前仕切部側に向かって上向きに傾斜するように形成されていることを特徴とする請求項１記載のランドセル。
【請求項３】
該収納部の該前仕切部側の幅方向の内寸法が２１２ｍｍ乃至２１７ｍｍに形成され、
該収納部の該背部側の幅方向の内寸法が、２２２ｍｍ乃至２２７ｍｍに形成されていることを特徴とする請求項１又は２記載のランドセル。
【請求項４】
各該襠部及び該底部が帯状の襠地で一体形成され、
該襠地には、該底部を該背部側の端部が該前仕切部側の端部より長い台形状に区画する一対の内斜め折り線と、該内斜め折り線と該背部側で始点を同じにして各該襠部の該底部側を該前仕切部側に向かって上向きに傾斜するように区画する一対の外斜め折り線と、該内斜め折り線と該外斜め折り線の間に配設され該襠地の幅方向に沿って直交して設けられた一対の折り線と、が形成され、
各該折り線を折り曲げて該襠地を略コの字状に形成するとともに、各該折り線と、各該内斜め折り線と、各該外斜め折り線と、を折り曲げて各該襠部又は該底部と縫合する三角形状の縫合部を形成して、該収納部の左右一対の各該襠部及び該底部が形成されていることを特徴とする請求項１、２又３は記載のランドセル。
【考案の詳細な説明】
【技術分野】
【０００１】
本考案は、収納部の平面視における形状を台形に形成して背負った時の体勢を安定させるランドセルに関するものである。
【背景技術】
【０００２】
従来、背当て面の大きさを維持して主収納部の大きさを拡大して幅広の収納物を収納することができるランドセルとして、特許文献１に記載されているものがある。
【０００３】
このランドセルは、主収納部が背当て面と、これに対面している前面と、これらの間に介在している台形の底襠及びその両側の側襠とからなり、主収納部の前面側は背当て面に比して内幅が広く形成され、側襠は背当て面に対しハの字状に広げて形成され、その下辺は前面に向かって下向きに傾斜していた。
【先行技術文献】
【特許文献】
【０００４】
【特許文献１】特開２００５−１０３２４５号公報
【考案の概要】
【考案が解決しようとする課題】
【０００５】
しかし、上記に示す特許文献１のランドセルでは、前面側が背当て面に比して内幅が広く形成され、その下辺は前面に向かって下向きに傾斜して形成されているため、体から離れた場所に寸法の大きい収納物が誘導されて入ることになるので、背負った時にランドセルの重心が体から離れた側にずれて体勢が不安定になる、という問題があった。
【０００６】
本考案は、上記事情に鑑み、体から近い場所に寸法の大きい収納物が入るように形成し、背負った時にランドセルの重心が体に近い側となるようにして体勢を安定させるランドセルを提供することを目的とする。
【課題を解決するための手段】
【０００７】
請求項１記載の考案のランドセルでは、使用者の背中と当接する背部と、該背部と空間を介して対向する前仕切部と、該背部と該前仕切部とを連結する左右一対の襠部と、下部を閉塞する底部と、を備えて収納部が形成されたランドセルであって、
該収納部の平面視における形状が、該背部側の端部が該前仕切部側の端部より長い台形状に形成されていることを特徴とする。
【０００８】
請求項２記載の考案のランドセルでは、該底部は、該背部側の端部が該前仕切部側の端部より長い台形状に形成され、該前仕切部側に向かって上向きに傾斜するように形成され、各該襠部の該底部側端縁が、該前仕切部側に向かって上向きに傾斜するように形成されていることを特徴とする。
【０００９】
請求項３記載の考案のランドセルでは、該収納部の該前仕切部側の幅方向の内寸法が２１２ｍｍ乃至２１７ｍｍに形成され、該収納部の該背部側の幅方向の内寸法が、２２２ｍｍ乃至２２７ｍｍに形成されていることを特徴とする。
【００１０】
請求項４記載の考案のランドセルでは、各該襠部及び該底部が帯状の襠地で一体形成され、該襠地には、該底部を該背部側の端部が該前仕切部側の端部より長い台形状に区画する一対の内斜め折り線と、該内斜め折り線と該背部側で始点を同じにして各該襠部の該底部側を該前仕切部側に向かって上向きに傾斜するように区画する一対の外斜め折り線と、該内斜め折り線と該外斜め折り線の間に配設され該襠地の幅方向に沿って直交して設けられた一対の折り線と、が形成され、各該折り線を折り曲げて該襠地を略コの字状に形成するとともに、各該折り線と、各該内斜め折り線と、各該外斜め折り線と、を折り曲げて各該襠部又は該底部と縫合する三角形状の縫合部を形成して、該収納部の左右一対の各該襠部及び該底部が形成されていることを特徴とする。
【考案の効果】
【００１１】
請求項１記載の考案では、収納部の平面視における形状を、背部側の端部が前仕切部側の端部より長い台形状に形成することで収納部の背部側で寸法の大きい収納物を収納することが可能となり、その収納物は、それよりも幅が狭い前仕切部側には移動せず、背負った時にランドセルの重心が体に近い側となるので体勢を安定させることができる。
【００１２】
請求項２記載の考案では、底部を、背部側の端部が前仕切部側の端部より長い台形状に形成して前仕切部側に向かって上向きに傾斜するように形成して、各襠部の底部側を、前仕切部側に向かって上向きに傾斜するように形成することで、体から離れた場所に収納された寸法の大きい収納物を体に近い側に誘導するとともに、背部側に押圧させて、ランドセルを背負った時の体勢を安定させることができる。
【００１３】
請求項３記載の考案では、収納部の前仕切部側の幅方向の内寸法を２１２ｍｍ乃至２１７ｍｍに形成し、収納部の背部側の幅方向の内寸法を、２２２ｍｍ乃至２２７ｍｍに形成することで、体に近い背部側にＡ４版よりもサイズの大きい収納物、例えば、Ａ４版収納ファイルを収納し、体から離れた前仕切部側にＡ４版の収納物を収納できる。よって、収納物が適切に配置され、ランドセルを背負った時の体勢を安定させることができる。
【００１４】
請求項４記載の考案では、左右一対の各該襠部及び該底部を帯状の襠地で一体形成して、各折り線を折り曲げて襠地を略コの字状に形成するとともに、各折り線と、各内斜め折り線と、各外斜め折り線と、を折り曲げて各襠部又は底部と縫合する三角形状の縫合部を形成することで、請求項２の考案の効果に加えて、襠地を真っ直ぐに形成、裁断することができるので、部材の無駄をなくすことができる。
【図面の簡単な説明】
【００１５】
【図１】本考案の第１の実施形態のランドセルの平面図である。
【図２】本考案の第１の実施形態のランドセルの側面図である。
【図３】本考案の第２の実施形態のランドセルの襠地の展開図である。
【図４】本考案の第２の実施形態のランドセルの襠地の（ａ）は、襠地を略コの字状に形成した状態図、（ｂ）は縫合部を形成する途中の状態図、（ｃ）は、縫合部を形成した後襠部に縫合した状態図である。
【考案を実施するための形態】
【００１６】
本考案のランドセルの第１の実施形態について図面に基づいて説明する。以下の説明では、図１、図２における、後述する底部５側を下とし、その反対側を上とする。後述する前仕切部３側を前とし、後述する背部２側を後ろとする。図１における、前後方向に直交する方向を左右方向とする。
【００１７】
ランドセル１は、図１に示すように、天然皮革又は合成皮革で形成されて、使用者が背負った時にその背中と当接する背部２と、背部２と空間を介して対向する前仕切部３と、背部２と前仕切部３とを連結する左右一対の襠部４、４と、下部を閉塞する底部５と、を備えて収納部６が形成されている。収納部６は、図示しない縫い代等を設けてそれぞれの部材が縫合されて、上部が開口した箱状に形成されている。
【００１８】
背部２は、内部にクッション等を挟み込んだ多層構造とされ、図１に示すように、幅方向の長さが前仕切部３より長く形成され、左右の端縁が各襠部４、４の後端縁とそれぞれ縫合され、図２に示すように、下端縁で底部５と縫合されている。上部に図示しない上肩ベルト係止部が二つ設けられている。
【００１９】
前仕切部３は、図１に示すように、幅方向の長さが背部２より短く形成され、左右の端縁が各襠部４、４の前端縁と縫合され、前側には、二段構造に形成されたポケット７が設けられ、図２に示すように、下端縁で底部５と縫合されている。
【００２０】
各襠部４、４は、図１、図２に示すように、天然皮革又は合成皮革製で、内部に図示しない芯部材を有して多層構造で形成されている。
【００２１】
各襠部４、４は、図２に示すように、上端縁が上方向に円弧状に突出して形成され、下端縁が前仕切部３側に向かって上向きに傾斜するように形成され、前端縁で前仕切部３と縫合され、後端縁で背部２と縫合され、下端縁で底部５と縫合されている。
【００２２】
底部５は、図１に示すように、背部２側の端部が前仕切部３側の端部より長い台形状に形成され、左右の端縁が各襠部４、４の下端縁と縫合され、前端縁で前仕切部３と縫合され、後端縁で背部２と縫合されている。
【００２３】
収納部６は、図１に示すように、平面視における形状が、背部２側の端部が前仕切部３側の端部より長い台形状に形成されている。Ａ４版よりも大きいＡ４版収納ファイルなどを収納可能とするため、収納部６の背部２側の幅方向の内寸法が２２２ｍｍ乃至２２７ｍｍに形成されている。ここで、「Ａ４版収納ファイル」とは、工業規格のＡ４版用紙を収納可能で工業規格のＡ４版用紙よりも一回り大きなファイルをいう。Ａ４版の収納物を収納可能とするため、収納部６の前仕切部３側の幅方向の内寸法が２１２ｍｍ乃至２１７ｍｍに形成されている。また、図２に示すように、側面視において底部５が、前仕切部３側に向かって上向きに傾斜するように形成されている。
【００２４】
蓋板８は、図２に示すように、一端が背部２の上端縁と縫合され、背部２の上端縁から収納部６の開口部を覆い、底部５に至るように配置されている。
【００２５】
本実施形態のランドセル１では、収納部６の平面視における形状を、背部２側の端部が前仕切部３側の端部より長い台形状に形成することで収納部６の背部２側でサイズの大きい収納物を収納することが可能となり、その収納物は、それよりも幅が狭い前仕切部３側には移動せず、背負った時にランドセル１の重心が体に近い側となるので体勢を安定させることができる。
【００２６】
底部５を背部２側の端部が前仕切部３側の端部より長い台形状に形成して、前仕切部３側に向かって上向きに傾斜するように形成して、各襠部４、４の底部５側を、前仕切部３側に向かって上向きに傾斜するように形成することで、体から離れた場所に収納された寸法の大きい収納物を体に近い側に誘導するとともに、背部２側に押圧させて、ランドセル１を背負った時の体勢を安定させることができる。
【００２７】
収納部６の前仕切部３側の幅方向の内寸法をＡ４版の収納物を収納できる２１２ｍｍ乃至２１７ｍｍに形成し、収納部６の背部２側の幅方向の内寸法を、Ａ４版収納ファイルが収納できる２２２ｍｍ乃至２２７ｍｍに形成することで、体に近い背部２側からサイズの大きいＡ４版収納ファイルを収納し、体に遠い前仕切部３側にサイズの小さいＡ４版の収納物を収納できる。よって、収納物が適切に配置されランドセル１を背負った時の体勢を安定させることができる。
【００２８】
本考案のランドセルの第２の実施形態について図面に基づいて説明する。第１の実施形態と共通の部材については、同じ符号を付し説明を省略する。
【００２９】
ランドセル１Ａは、図３に示すように、各襠部４Ａ、４Ａ及び底部５Ａが帯状の襠地９で一体形成されている。
【００３０】
襠地９には、図３に示すように、底部５Ａを背部２側の端部が前仕切部３側の端部より長い台形状に区画する一対の内斜め折り線１０、１０と、各内斜め折り線１０、１０と背部２側で始点を同じにして各襠部４Ａ、４Ａの底部５Ａ側を前仕切部３側に向かって上向きに傾斜するように区画する一対の外斜め折り線１１、１１と、各内斜め折り線１０、１０と各外斜め折り線１１、１１の間に配設され襠地９の幅方向に沿って直交して設けられた一対の折り線１２、１２と、が形成されている。
【００３１】
襠地９から各襠部４Ａ、４Ａ及び底部５Ａを形成する方法は、図４（ａ）に示すように、各折り線１２、１２を折り曲げて襠地９を略コの字状に形成して、図４（ｂ）に示すように、各折り線１２、１２をさらに折り曲げるとともに、各外斜め折り線１１、１１を折り曲げて一対の三角形状の縫合部１３、１３を形成して、図４（ｃ）に示すように、各内斜め折り線１０、１０で折り曲げて、各縫合部１３、１３と、各襠部４Ａ、４Ａと、を縫合する。
【００３２】
本実施形態のランドセル１Ａでは、各襠部４Ａ、４Ａ及び底部５Ａを帯状の襠地９で一体形成することで、襠地９を真っ直ぐに形成、裁断することができるので、部材の無駄をなくすことができる。
【００３３】
また、各折り線１２、１２を折り曲げて襠地９を略コの字状に形成するとともに、各折り線１２、１２と、各内斜め折り線１０、１０と、各外斜め折り線１１、１１と、を折り曲げて、各襠部４Ａ、４Ａと縫合する一対の三角形状の縫合部１３、１３を形成することで、部材を各襠部４Ａ、４Ａ及び底部５Ａのそれぞれに裁断しなくてすむので製造工程を少なくすることができる。
【００３４】
本実施形態のランドセル１Ａでは、各縫合部１３、１３と、各襠部４Ａ、４Ａと、を縫合しているが、各縫合部１３、１３と、底部５Ａと、を縫合してもよい。また、各縫合部１３、１３を内側に折り曲げて形成して、底部５Ａ又は各襠部４Ａ、４Ａと縫合してもよい。
【００３５】
本考案の実施形態は、上述したものにはこだわらない。例えば、底部５、５Ａの内壁側に摩擦の少ない部材（合成樹脂等）を追加して配置することで、体から離れた場所に収納された寸法の大きい収納物を滑らせて体に近い側に誘導しやすくしてもよい。
【符号の説明】
【００３６】
１、１Ａ  ランドセル
２  背部
３  前仕切部
４、４Ａ  襠部
５、５Ａ  底部
６、６Ａ  収納部
９  襠地
１０  内斜め折り線
１１  外斜め折り線
１２  折り線
１３  縫合部
【図１】
0003158972.tif 000003
【図２】
0003158972.tif 000004
【図３】
0003158972.tif 000005
【図４】
0003158972.tif 000006